(57)【要約】【課題】情報記録装置の大型化及び高コスト化を招くことなく、光ディスクに対して高速度で記録品質に優れた記録を行うことを可能とする。【解決手段】記録線速度が変化すると、マークの長さ毎に、チャネルクロックの周期に対する各パルス幅の割合はそれぞれそのままとし、中央部の発光パワーＰp、及びパワー比φが、それぞれ新たな記録線速度に応じて更新される（ステップ４２１〜４２９）。これにより、記録条件を規定する複数の設定項目のうち、記録線速度の変化に応じて更新する設定項目の数を従来に比べて大幅に減少させることができるため、記録線速度の変化に追従して記録条件を適正な値に更新することが可能となる。【選択図】図５
2006172567.tif 000002
【特許請求の範囲】
【請求項１】
マークに対応して光ディスクの記録面を加熱するために、その前方部と後方部の発光パワーが中央部の発光パワーよりも大きく、かつ各発光パワーがそれぞれ再生パワーよりも大きいパルス状に光源を発光させて、前記記録面に情報を記録する記録方法であって、
記録線速度が変化すると、マークの長さ毎に、前記中央部の発光パワーと、前記前方部及び後方部の少なくとも一方の発光パワーと前記中央部の発光パワーとの比であるパワー比とを、それぞれ新たな記録線速度に応じて更新する工程を含む記録方法。
【請求項２】
前記更新する工程では、長さが最も短い第１のマークを形成する際に前記記録面に供給される熱量と、前記第１のマークよりも長い第２のマークを形成する際に前記記録面に供給される熱量との比である熱量比が、前記新たな記録線速度に応じた既知の熱量比と一致するように、前記パワー比を更新することを特徴とする請求項１に記載の記録方法。
【請求項３】
前記熱量比が複数の記録線速度についてそれぞれ予め取得されており、
前記更新する工程に先立って、前記熱量比と記録線速度との複数組の組み合わせに基づいて前記新たな記録線速度に応じた熱量比を取得する工程を更に含むことを特徴とする請求項２に記載の記録方法。
【請求項４】
前記第１のマークは、記録用クロックの周期Ｔを用いて３Ｔで示される長さのマークであることを特徴とする請求項２又は３に記載の記録方法。
【請求項５】
前記第２のマークは、４Ｔで示される長さのマークであることを特徴とする請求項４に記載の記録方法。
【請求項６】
前記光ディスクは、角速度一定で回転していることを特徴とする請求項１〜５のいずれか一項に記載の記録方法。
【請求項７】
マークに対応して光ディスクの記録面を加熱するために、その前方部と後方部の発光パワーが中央部の発光パワーよりも大きく、かつ各発光パワーがそれぞれ再生パワーよりも大きいパルス状に光源を発光させて、前記記録面に情報を記録する情報記録装置に用いられるプログラムであって、
記録線速度が変化すると、マークの長さ毎に、前記中央部の発光パワーと、前記前方部及び後方部の少なくとも一方の発光パワーと前記中央部の発光パワーとの比であるパワー比とを、それぞれ新たな記録線速度に応じて更新する手順を前記情報記録装置の制御用コンピュータに実行させるプログラム。
【請求項８】
請求項７に記載のプログラムが記録されたコンピュータ読み取り可能な記録媒体。
【請求項９】
光ディスクの記録面に情報を記録する情報記録装置であって、
光源を含む光ピックアップ装置と；
前記光源を、マークに対応して光ディスクの記録面を加熱するために、その前方部と後方部の発光パワーが中央部の発光パワーよりも大きく、かつ各発光パワーがそれぞれ再生パワーよりも大きいパルス状に発光させて、前記記録面に情報を記録する処理装置と；
前記情報を記録しているときに記録線速度が変化すると、マークの長さ毎に、前記中央部の発光パワーと、前記前方部及び後方部の少なくとも一方の発光パワーと前記中央部の発光パワーとの比であるパワー比とを、それぞれ新たな記録線速度に応じて更新する制御装置と；を備える情報記録装置。
【請求項１０】
前記制御装置は、長さが最も短い第１のマークを形成する際に前記記録面に供給される熱量と、前記第１のマークよりも長い第２のマークを形成する際に前記記録面に供給される熱量との比である熱量比が、前記新たな記録線速度に応じた既知の熱量比と一致するように、前記パワー比を更新することを特徴とする請求項９に記載の情報記録装置。
【請求項１１】
前記熱量比が複数の記録線速度についてそれぞれ予め取得されており、
前記制御装置は、前記パワー比を更新するのに先立って、更に前記熱量比と記録線速度との複数組の組み合わせに基づいて前記新たな記録線速度に応じた熱量比を取得することを特徴とする請求項１０に記載の情報記録装置。
【請求項１２】
前記第１のマークは、記録用クロックの周期Ｔを用いて３Ｔで示される長さのマークであることを特徴とする請求項１０又は１１に記載の情報記録装置。
【請求項１３】
前記第２のマークは、４Ｔで示される長さのマークであることを特徴とする請求項１２に記載の情報記録装置。
【請求項１４】
前記光ディスクは、角速度一定で回転していることを特徴とする請求項９〜１３のいずれか一項に記載の情報記録装置。
【発明の詳細な説明】
【技術分野】
【０００１】
本発明は、記録方法、プログラム及び記録媒体、並びに情報記録装置に係り、更に詳しくは、情報を光ディスクに記録する記録方法及び情報記録装置、情報記録装置で用いられるプログラム及び該プログラムが記録された記録媒体に関する。
【背景技術】
【０００２】
近年、デジタル技術の進歩及びデータ圧縮技術の向上に伴い、コンピュータプログラム、音楽データ、及び映像データなどの大容量の情報を記録するための情報記録媒体として、ＣＤ（compact disc）やＤＶＤ（digital versatile disc）などの光ディスクが注目されるようになり、その低価格化とともに、光ディスクに対して情報の記録及び再生を行うための光ディスク装置が普及するようになった。
【０００３】
この光ディスク装置では、光源からレーザ光を出射し、スパイラル状又は同心円状のトラックが形成された光ディスクの記録面に微小スポットを形成して情報の記録及び消去を行い、記録面からの反射光に基づいて情報の再生などを行っている。
【０００４】
ところで、光ディスクでは、互いに反射率の異なるマーク領域及びスペース領域のそれぞれの長さとそれらの組み合わせとによって情報が記録される。そこで、光ディスクに情報を記録する際には所定の位置にマーク領域及びスペース領域がそれぞれ形成されるように、光源から出射されるレーザ光のパワー（以下「発光パワー」ともいう）が制御される。
【０００５】
例えば記録層に有機色素を含むＣＤ−Ｒ（ＣＤ−recordable）、ＤＶＤ−Ｒ（ＤＶＤ-recordable）、及びＤＶＤ＋Ｒ（ＤＶＤ＋recordable）などの一度だけ書き込みが可能な光ディスク、いわゆる追記型光ディスクでは、マークを形成するときには発光パワーを大きくして色素を加熱し、変質や分解を起こさせ、更にそこに接しているディスク基板部分を変質・変形させている。一方、スペースを形成するときには色素が変質や分解を起こさず、かつ、ディスク基板が変質・変形しないように発光パワーを再生時と同程度に小さくしている。これにより、マークではスペースよりも反射率が低くなる。なお、マークを形成するときの発光パワーは記録パワーとも呼ばれている。また、再生時の発光パワーは再生パワーとも呼ばれている。
【０００６】
また、マークを形成するときには、マークの長さや該マークの直前及び直後のスペースの長さが変化しても熱分布をほぼ一定に保つため、記録ストラテジと呼ばれる発光パワーのパルス形状等に関する規則（方式）に基づいて、発光パワーのパルス形状等を設定している（例えば、特許文献１参照）。良好な記録品質を得るための適切なパルス形状等は、記録線速度によって異なっている。
【０００７】
光ディスクに情報を記録する際の光ディスクの回転を制御する方式の一つとしてＣＡＶ（Constant Angular Velocity）方式がある。このＣＡＶ方式では、光ディスクを一定の角速度で回転させながら情報の記録を行うため、記録速度をＣＬＶ（Constant Linear Velocity）方式よりも速くすることができるとともに、スピンドルモータの回転制御が容易であり、スピンドルモータを小型化できるという利点を有している。従って、ＣＡＶ方式は光ディスク装置の小型化及び軽量化に適した方式である。
【０００８】
しかしながら、ＣＡＶ方式では、記録位置が光ディスクの外周側にいくほど記録線速度が速くなることから、記録動作中にレジスタに格納されているパルス形状等を規定する設定値が適切でなくなる場合がある。そして、今後更に記録速度が高速になると、適切な記録条件での記録が困難となり、記録品質が低下するおそれがある。
【０００９】
【特許文献１】特開２００１−１５５３３９号公報
【発明の開示】
【発明が解決しようとする課題】
【００１０】
本発明は、かかる事情の下になされたもので、その第１の目的は、情報記録装置の大型化及び高コスト化を招くことなく、光ディスクに対して高速度で記録品質に優れた記録を行うことができる記録方法を提供することにある。
【００１１】
また、本発明の第２の目的は、情報記録装置の制御用コンピュータにて実行され、情報記録装置の大型化及び高コスト化を招くことなく、光ディスクに対して高速度で記録品質に優れた記録を可能とするプログラム及びそのプログラムが記録された記録媒体を提供することにある。
【００１２】
また、本発明の第３の目的は、大型化及び高コスト化を招くことなく、光ディスクに対して高速度で記録品質に優れた記録を行うことができる情報記録装置を提供することにある。
【課題を解決するための手段】
【００１３】
請求項１に記載の発明は、マークに対応して光ディスクの記録面を加熱するために、その前方部と後方部の発光パワーが中央部の発光パワーよりも大きく、かつ各発光パワーがそれぞれ再生パワーよりも大きいパルス状に光源を発光させて、前記記録面に情報を記録する記録方法であって、記録線速度が変化すると、マークの長さ毎に、前記中央部の発光パワーと、前記前方部及び後方部の少なくとも一方の発光パワーと前記中央部の発光パワーとの比であるパワー比とを、それぞれ新たな記録線速度に応じて更新する工程を含む記録方法である。
【００１４】
これによれば、記録線速度が変化すると、マークの長さ毎に、記録用クロックの周期に対する各発光パワーの発光時間の割合はそれぞれそのままとし、中央部の発光パワーと、前方部及び後方部の少なくとも一方の発光パワーと中央部の発光パワーとの比であるパワー比とが、それぞれ新たな記録線速度に応じて更新される。この場合には、記録条件を規定する複数の設定項目のうち、記録線速度の変化に応じて更新する設定項目の数を従来に比べて大幅に減少させることができるため、記録線速度の変化に追従して記録条件を適正な値に更新することが可能となる。従って、その結果として、情報記録装置の大型化及び高コスト化を招くことなく、高速度で記録品質に優れた記録を行うことが可能となる。
【００１５】
この場合において、請求項２に記載の記録方法の如く、前記更新する工程では、長さが最も短い第１のマークを形成する際に前記記録面に供給される熱量と、前記第１のマークよりも長い第２のマークを形成する際に前記記録面に供給される熱量との比である熱量比が、前記新たな記録線速度に応じた既知の熱量比と一致するように、前記パワー比を更新することとすることができる。
【００１６】
この場合において、請求項３に記載の記録方法の如く、前記熱量比が複数の記録線速度についてそれぞれ予め取得されており、前記更新する工程に先立って、前記熱量比と記録線速度との複数組の組み合わせに基づいて前記新たな記録線速度に応じた熱量比を取得する工程を更に含むこととすることができる。
【００１７】
上記請求項２及び３に記載の各記録方法において、請求項４に記載の記録方法の如く、前記第１のマークは、記録用クロックの周期Ｔを用いて３Ｔで示される長さのマークであることとすることができる。
【００１８】
この場合において、請求項５に記載の記録方法の如く、前記第２のマークは、４Ｔで示される長さのマークであることとすることができる。
【００１９】
上記請求項１〜５に記載の各記録方法において、請求項６に記載の記録方法の如く、前記光ディスクは、角速度一定で回転していることとすることができる。
【００２０】
請求項７に記載の発明は、マークに対応して光ディスクの記録面を加熱するために、その前方部と後方部の発光パワーが中央部の発光パワーよりも大きく、かつ各発光パワーがそれぞれ再生パワーよりも大きいパルス状に光源を発光させて、前記記録面に情報を記録する情報記録装置に用いられるプログラムであって、記録線速度が変化すると、マークの長さ毎に、前記中央部の発光パワーと、前記前方部及び後方部の少なくとも一方の発光パワーと前記中央部の発光パワーとの比であるパワー比とを、それぞれ新たな記録線速度に応じて更新する手順を前記情報記録装置の制御用コンピュータに実行させるプログラムである。
【００２１】
これによれば、本発明のプログラムが所定のメモリにロードされ、その先頭アドレスがプログラムカウンタにセットされると、情報記録装置の制御用コンピュータは、記録線速度が変化すると、マークの長さ毎に、記録用クロックの周期に対する各発光パワーの発光時間の割合はそれぞれそのままとし、中央部の発光パワーと、前方部及び後方部の少なくとも一方の発光パワーと中央部の発光パワーとの比であるパワー比とを、それぞれ新たな記録線速度に応じて更新する。すなわち、本発明のプログラムによれば、情報記録装置の制御用コンピュータに請求項１に記載の発明に係る記録方法を実行させることができ、これにより、大型化及び高コスト化を招くことなく、情報記録装置に、光ディスクに対して高速度で記録品質に優れた記録を行わせることが可能となる。
【００２２】
請求項８に記載の発明は、請求項７に記載のプログラムが記録されたコンピュータ読み取り可能な記録媒体である。
【００２３】
これによれば、請求項７に記載のプログラムが記録されているために、コンピュータに実行させることにより、結果として大型化及び高コスト化を招くことなく、情報記録装置に高速度で記録品質に優れた記録を行わせることが可能となる。
【００２４】
請求項９に記載の発明は、光ディスクの記録面に情報を記録する情報記録装置であって、光源を含む光ピックアップ装置と；前記光源を、マークに対応して光ディスクの記録面を加熱するために、その前方部と後方部の発光パワーが中央部の発光パワーよりも大きく、かつ各発光パワーがそれぞれ再生パワーよりも大きいパルス状に発光させて、前記記録面に情報を記録する処理装置と；前記情報を記録しているときに記録線速度が変化すると、マークの長さ毎に、前記中央部の発光パワーと、前記前方部及び後方部の少なくとも一方の発光パワーと前記中央部の発光パワーとの比であるパワー比とを、それぞれ新たな記録線速度に応じて更新する制御装置と；を備える情報記録装置である。
【００２５】
これによれば、処理装置により、マークに対応して光ディスクの記録面を加熱するために、その前方部と後方部の発光パワーが中央部の発光パワーよりも大きく、かつ各発光パワーがそれぞれ再生パワーよりも大きいパルス状に光源が発光され、光ディスクの記録面に情報が記録される。情報を記録しているときに記録線速度が変化すると、制御装置により、マークの長さ毎に、記録用クロックの周期に対する各発光パワーの発光時間の割合はそれぞれそのままとされ、中央部の発光パワーと、前方部及び後方部の少なくとも一方の発光パワーと中央部の発光パワーとの比であるパワー比とが、それぞれ新たな記録線速度に応じて更新される。すなわち、記録条件を規定する複数の設定項目のうち、記録線速度の変化に応じて更新する設定項目の数を従来に比べて大幅に減少させることができるため、記録線速度の変化に追従して記録条件を適正な値に更新することが可能となる。従って、その結果として、大型化及び高コスト化を招くことなく、光ディスクに対して高速度で記録品質に優れた記録を行うことが可能となる。
【００２６】
この場合において、請求項１０に記載の情報記録装置の如く、前記制御装置は、長さが最も短い第１のマークを形成する際に前記記録面に供給される熱量と、前記第１のマークよりも長い第２のマークを形成する際に前記記録面に供給される熱量との比である熱量比が、前記新たな記録線速度に応じた既知の熱量比と一致するように、前記パワー比を更新することとすることができる。
【００２７】
この場合において、請求項１１に記載の情報記録装置の如く、前記熱量比が複数の記録線速度についてそれぞれ予め取得されており、前記制御装置は、前記パワー比を更新するのに先立って、更に前記熱量比と記録線速度との複数組の組み合わせに基づいて前記新たな記録線速度に応じた熱量比を取得することとすることができる。
【００２８】
上記請求項１０及び１１に記載の各情報記録装置において、請求項１２に記載の情報記録装置の如く、前記第１のマークは、記録用クロックの周期Ｔを用いて３Ｔで示される長さのマークであることとすることができる。
【００２９】
この場合において、請求項１３に記載の情報記録装置の如く、前記第２のマークは、４Ｔで示される長さのマークであることとすることができる。
【００３０】
上記請求項９〜１３に記載の各情報記録装置において、請求項１４に記載の情報記録装置の如く、前記光ディスクは、角速度一定で回転していることとすることができる。
【発明を実施するための最良の形態】
【００３１】
以下、本発明の一実施形態を図１〜図８に基づいて説明する。図１には、本発明の一実施形態に係る情報記録装置としての光ディスク装置２０の概略構成が示されている。
【００３２】
この図１に示される光ディスク装置２０は、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、本実施形態では、一例としてＤＶＤ＋Ｒの規格に準拠した情報記録媒体が光ディスク１５に用いられるものとする。
【００３３】
前記光ピックアップ装置２３は、光ディスク１５の記録面にレーザ光を集光するとともに、その記録面からの反射光を受光するための装置である。この光ピックアップ装置２３は、約６６０ｎｍの波長のレーザ光を出射する半導体レーザ、前記半導体レーザから出射された光束を光ディスク１５の記録面に集光する対物レンズ、前記記録面で反射された戻り光束を受光する受光器、及び前記対物レンズを駆動するための駆動系（フォーカシングアクチュエータ及びトラッキングアクチュエータ）（いずれも図示省略）などを含んで構成されている。前記受光器は複数の受光素子（又は受光領域）を有し、各受光素子（又は受光領域）での受光量に応じた信号（光電変換信号）を再生信号処理回路２８に出力する。
【００３４】
前記再生信号処理回路２８は、前記受光器の出力信号（複数の光電変換信号）に基づいて、従来と同様にして、サーボ信号（フォーカスエラー信号やトラックエラー信号など）、アドレス情報、同期信号、及びＲＦ信号などを取得する。ここで得られたサーボ信号は前記駆動制御回路２６及びＣＰＵ４０に出力され、アドレス情報はＣＰＵ４０に出力され、同期信号はエンコーダ２５や駆動制御回路２６などに出力される。また、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００３５】
前記駆動制御回路２６は、再生信号処理回路２８からのトラックエラー信号に基づいて、トラッキング方向に関する対物レンズの位置ずれを補正するための前記トラッキングアクチュエータの駆動信号を生成する。また、駆動制御回路２６は、再生信号処理回路２８からのフォーカスエラー信号に基づいて、対物レンズのフォーカスずれを補正するための前記フォーカシングアクチュエータの駆動信号を生成する。ここで生成された各駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各駆動信号は、それぞれシークモータ２１及びスピンドルモータ２２に出力される。
【００３６】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００３７】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００３８】
前記レーザ制御回路２４は、前記半導体レーザの発光パワーを制御する。例えば記録の際には、前記書き込み信号、記録条件及び半導体レーザの発光特性などに基づいて、半導体レーザの駆動信号がレーザ制御回路２４にて生成される。
【００３９】
前記インターフェース３８は、上位装置９０（例えば、パソコン）との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００４０】
前記フラッシュメモリ３９には、ＣＰＵ４０にて解読可能なコードで記述された本発明に係るプログラムを含む各種プログラム、記録パワーや記録ストラテジ情報を含む記録条件及び半導体レーザの発光特性などの各種データが格納されている。
【００４１】
前記ＣＰＵ４０は、フラッシュメモリ３９に格納されている上記プログラムに従って前記各部の動作を制御するとともに、制御に必要なデータなどをＲＡＭ４１及びバッファＲＡＭ３４に保存する。
【００４２】
ここで、記録ストラテジについて説明する。本実施形態では、一例として図２に示されるように、形成対象のマーク（以下「対象マーク」と略述する）の長さが４Ｔ（Ｔはチャネルクロック（記録用クロック）の周期）以上の場合には、１つのマークに対応して光ディスク１５の記録面を加熱するための加熱パルスが、通常の記録パワー（Ｐpとする）のパルスの一部（ここでは先端部と後端部）に所定のパワーが重畳された形状となる、いわゆるキャッスルストラテジを採用する。なお、加熱パルスの後ろには冷却パルス（ＣＰとする）が付加されている。
【００４３】
ここでは、上記加熱パルスの先端部を先端パルスＦＰ、中央部を中央パルスＭＰ、後端部を後端パルスＥＰという。そして、先端パルスＦＰの発光パワーをＰp＋ｄＰp、パルス幅をＴtopとし、中央パルスＭＰの発光パワーをＰp、パルス幅をＴmpとし、後端パルスＥＰの発光パワーをＰp＋ｄＰp、パルス幅をＴlpとする。また、冷却パルスＣＰの発光パワー（以下では「冷却パワー」ともいう）をＰc、パルス幅をＴcとする。Ｐp＞再生パワー（Ｐrとする）＞Ｐcである。すなわち、１つのマークに対応して光ディスク１５の記録面を加熱するために、その前方部と後方部の発光パワーが中央部の発光パワーよりも大きく、かつ各発光パワーがそれぞれ再生パワーよりも大きいパルス状に、光源からレーザ光が出射される。なお、各パルス幅は対象マークの長さによって異なっている。
【００４４】
一方、対象マークの長さが３Ｔの場合の加熱パルスは、発光パワーがＰp＋ｄＰpの矩形形状のパルス（ＳＰとする）である。このパルスＳＰのパルス幅をＴl3とする。この場合も、加熱パルスの後ろには冷却パルスＣＰが付加されている。このパルスＳＰは、上記中央パルスＭＰのパルス幅Ｔmpが０の場合とみなすこともできる。
【００４５】
また、各パルス幅は、チャネルクロックの周期Ｔに対する発光時間の割合で示される。
【００４６】
なお、スペースを形成するときの発光パワー（以下では「ボトムパワー」ともいう）Ｐbは再生パワーＰrとほぼ同じである。
【００４７】
ところで、対象マークの直前のスペースの長さが３Ｔの場合には、対象マークの形成開始時の記録面の温度が十分に低下していないため、本実施形態では、一例として図３に示されるように、先端パルスＦＰ及びパルスＳＰの立ち上がりタイミングを所定時間（ｄＴleとする）だけ遅延させる。すなわち、この場合には、先端パルスＦＰのパルス幅はＴtop−ｄＴle、パルスＳＰのパルス幅はＴl3−ｄＴleとなる。
【００４８】
本実施形態では、記録線速度が変化すると、チャネルクロックの周期Ｔに対する発光時間の割合で示される各パルス幅はそれぞれそのままとし、中央パルスＭＰの発光パワーＰp及び、ｄＰpとＰpの比率（φ＝ｄＰp／Ｐp）を、新たな記録線速度に応じて変化させる。なお、従来のキャッスルストラテジでは、一例として図４に示されるように、比率φは、記録線速度に関係なく一定（図４では一例としてφ＝０．５）とするのが一般的であった。そして、この場合に、記録線速度が２．４倍速のときに良好な記録品質が得られるように記録ストラテジを設定すると、一例として図５に示されるように、記録線速度が速くなるにつれてジッタが大きくなり、記録線速度が４倍速を超えると、ジッタは、良好な記録品質が得られる上限値である９％を超えるようになる。
【００４９】
そして、前記記録条件の一部として、Ｐpと記録線速度との関係を示す近似式、ボトムパワーＰb、冷却パワーＰc、パルス幅Ｔl3、パルス幅Ｔc、遅延時間ｄＴle、及びマークの長さ毎のパルス幅Ｔtop、Ｔmp、Ｔlpが、フラッシュメモリ３９に格納されている。
【００５０】
また、２．４倍速の記録線速度で、３Ｔの長さのマーク（第１のマーク）を形成するときに記録面に供給される熱量と４Ｔの長さのマーク（第２のマーク）を形成するときに記録面に供給される熱量との比（熱量比θ2とする）は、予め算出されている。具体的には、一例として図６に示されるように、２．４倍速の記録線速度で、３Ｔの長さのマークが正常に形成されたときの加熱パルスの面積Ｓ１と４Ｔの長さのマークが正常に形成されたときの加熱パルスの面積Ｓ２との比（Ｓ１／Ｓ２）を算出し、記録線速度が２．４倍速のときの熱量比θ2とする。同様にして、１２倍速の記録線速度における熱量比（熱量比θ12とする）も、予め算出されている。なお、この場合の各マークの直前のスペースの長さは４Ｔ以上である。そして、一例として図７に示されるように、熱量比θ2と熱量比θ12とに基づいて、熱量比と記録線速度との関係を示す近似式が算出され、前記記録条件の一部としてフラッシュメモリ３９に格納されている。
【００５１】
《記録処理》
ここで、上記のようにして構成された光ディスク装置２０が、上位装置９０から光ディスク１５にユーザデータをＣＡＶ方式で記録する記録要求コマンドを受信したときの処理（記録処理）について図８を用いて説明する。図８のフローチャートは、ＣＰＵ４０によって実行される一連の処理アルゴリズムに対応している。上位装置９０から記録要求コマンドを受信すると、フラッシュメモリ３９のプログラム領域に格納されている図８のフローチャートに対応するプログラム（以下、「記録処理プログラム」という）の先頭アドレスがＣＰＵ４０のプログラムカウンタにセットされ、記録処理がスタートする。
【００５２】
最初のステップ４０１では、ＯＰＣ処理を実施する。すなわち、光ディスク１５に設けられているＰＣＡ（Power Calibration Area）と呼ばれる試し書き領域に、所定の記録線速度（Ｖ0とする）で記録パワーを段階的に変化させつつ、所定のデータを試し書きした後、それらのデータを順次再生し、ＲＦ信号から検出されたアシンメトリの値が予め実験等で求めた目標値とほぼ一致する場合を最も高い記録品質であると判断し、そのときの記録パワーを記録線速度Ｖ0での最適な記録パワーとする。
【００５３】
次のステップ４０３では、ＯＰＣ処理の結果に基づいて、フラッシュメモリ３９に格納されている前記Ｐpと記録線速度との関係を示す近似式を補正する。
【００５４】
次のステップ４０５では、記録要求コマンドで指定されたアドレス（以下「指定アドレス」ともいう）が示す領域にユーザデータを記録する際の記録線速度（Ｖ1とする）を取得する。この記録線速度は、光ディスク１５の回転速度と、光ディスク１５の回転中心から指定アドレスまでの直線距離とによって算出される。
【００５５】
次のステップ４０７では、Ｐpと記録線速度との関係を示す近似式を参照し、記録線速度Ｖ1に適切なＰpを取得するとともに、該Ｐpをレーザ制御回路２４に設定する。
【００５６】
次のステップ４０９では、熱量比と記録線速度との関係を示す近似式を参照し、記録線速度Ｖ1に対応する熱量比（θnとする）を取得する。
【００５７】
次のステップ４１１では、次の（１）式に既知の値をそれぞれ代入してφを算出する。
【００５８】
θn=TI3×Pp(1+φ)/{(Ttop+Tlp)×Pp(1+φ)+(Tmp×Pp)}  ……（１）
【００５９】
次のステップ４１３では、φに基づいて記録線速度Ｖ1に適切なｄＰpを取得するとともに、該ｄＰpをレーザ制御回路２４に設定する。
【００６０】
次のステップ４１５では、記録要求コマンドで指定されたアドレスに対応する目標位置近傍に光スポットが形成されるように、駆動制御回路２６に指示する。これにより、シーク動作が行なわれる。なお、シーク動作が不要であれば、ここでの処理はスキップされる。
【００６１】
次のステップ４１７では、記録を許可する。これにより、前記エンコーダ２５、前記レーザ制御回路２４及び前記光ピックアップ装置２３を介して光ディスク１５への記録が開始される。
【００６２】
次のステップ４１９では、記録が完了したか否かを判断する。完了していなければ、ここでの判断は否定され、ステップ４２１に移行する。
【００６３】
このステップ４２１では、現在の記録線速度を取得する。
【００６４】
次のステップ４２３では、Ｐpと記録線速度との関係を示す近似式を参照し、現在の記録線速度に適切なＰpを取得するとともに、該Ｐpをレーザ制御回路２４に設定する。すなわち、記録動作を継続しつつＰpが更新される。
【００６５】
次のステップ４２５では、熱量比と記録線速度との関係を示す近似式を参照し、現在の記録線速度に対応する熱量比を取得する。
【００６６】
次のステップ４２７では、上記（１）式に既知の値をそれぞれ代入してφを算出する。
【００６７】
次のステップ４２９では、現在の記録線速度に適切なｄＰpを取得するとともに、該ｄＰpをレーザ制御回路２４に設定する。すなわち、記録動作を継続しつつｄＰpが更新される。そして、上記ステップ４１９に戻る。
【００６８】
なお、上記ステップ４１９において、記録が完了していれば、ここでの判断は肯定され、記録処理を終了する。
【００６９】
以上の説明から明らかなように、本実施形態に係る光ディスク装置２０では、レーザ制御回路２４によって処理装置が構成されている。また、ＣＰＵ４０及び該ＣＰＵ４０にて実行されるプログラムとによって、制御装置が実現されている。すなわち、図８のステップ４２１〜４２９によって制御装置が実現されている。なお、ＣＰＵ４０によるプログラムに従う処理によって実現した制御装置の少なくとも一部をハードウェアによって構成することとしても良いし、あるいは全てをハードウェアによって構成することとしても良い。
【００７０】
また、本実施形態では、記録媒体としてのフラッシュメモリ３９に記録されているプログラムのうち、前記記録処理プログラムによって、本発明に係るプログラムが実行されている。すなわち、図８のステップ４２１〜４２９の処理に対応するプログラムによって更新する手順が実行されている。
【００７１】
そして、図８のステップ４２１〜４２９の処理によって本発明に係る記録方法における更新する工程が実施されている。なお、取得する工程は、光ディスク装置２０を製造する過程で実施されている。
【００７２】
以上説明したように、本実施形態に係る光ディスク装置２０によると、上位装置９０から記録要求コマンドを受信すると、指定アドレスが示す領域にユーザデータを記録する際の記録線速度Ｖ1に適切なＰp及びｄＰpを設定後、記録が開始される。そして、記録線速度が変化すると、マークの長さ毎に、チャネルクロックの周期Ｔに対する各パルス幅（発光パワーの発光時間）の割合はそれぞれそのままとし、Ｐp（中央部の発光パワー）、及びφ（パワー比）が、それぞれ新たな記録線速度に応じて更新される。これにより、記録条件を規定する複数の設定項目のうち、記録線速度の変化に応じて更新する設定項目の数を従来に比べて大幅に減少させることができるため、記録線速度の変化に追従して記録条件を適正な値に更新することが可能となる。従って、その結果として、光ディスク装置の大型化及び高コスト化を招くことなく、高速度で記録品質に優れた記録を行うことが可能となる。
【００７３】
なお、上記実施形態では、熱量比と記録線速度との関係を示す近似式が一次式の場合について説明したが、これに限らず、例えば、更に記録線速度が４倍速のときの熱量比（熱量比θ4とする）及び記録線速度が８倍速のときの熱量比（熱量比θ8とする）を算出し、一例として図９に示されるように、近似式が二次式となっても良い。
【００７４】
また、上記実施形態では、対象マークの長さが４Ｔ以上のときの加熱パルスが、３つの発光パワー（先端パルスＦＰの発光パワー、中央パルスＭＰの発光パワー、後端パルスＥＰの発光パワー）で規定される場合について説明したが、本発明がこれに限定されるものではない。例えば、図１０（Ａ）及び図１０（Ｂ）に示されるように、対象マークの長さが４Ｔ以上のときの加熱パルスが、４つの発光パワーで規定されていてもよい。
【００７５】
また、上記実施形態では、先端パルスＦＰの発光パワーと後端パルスＥＰの発光パワーとが等しい場合について説明したが、これに限定されるものではなく、先端パルスＦＰの発光パワーと後端パルスＥＰの発光パワーとが異なっていても良い。この場合には、先端パルスＦＰの発光パワーをＰp＋ｄＰp１、後端パルスＥＰの発光パワーをＰp＋ｄＰp２とすると、記録線速度が変化したときに、チャネルクロックの周期Ｔに対する各パルス幅はそれぞれそのままとし、中央パルスＭＰの発光パワーＰpとともに、ｄＰp１とＰpの比率及びｄＰp２とＰpの比率の少なくともいずれかを新たな記録線速度に応じて変化させることとなる。
【００７６】
また、上記実施形態では、光ディスク１５にユーザデータをＣＡＶ方式で記録する場合について説明したが、これに限らず、ゾーンＣＬＶ（Ｚ−ＣＬＶ）方式や、パーシャルＣＡＶ（Ｐ−ＣＡＶ）方式で記録してもよい。要するに、記録中に記録線速度が変化するような方式であれば良い。
【００７７】
また、上記実施形態では、第２のマークが４Ｔの長さのマークである場合について説明したが、これに限らず４Ｔよりも長いマークであってもよい。要するに、第２のマークが第１のマークよりも長ければよい。
【００７８】
また、上記実施形態では、第１のマークが３Ｔの長さのマークである場合について説明したが、３Ｔが最も短いマークでない場合には、その最も短いマークが第１のマークとなる。
【００７９】
また、上記実施形態では、本発明に係るプログラムは、フラッシュメモリ３９に記録されているが、他の記録媒体（ＣＤ、光磁気ディスク、ＤＶＤ、メモリカード、ハードディスク、ＵＳＢメモリ、フレキシブルディスク等）に記録されていても良い。この場合には、各記録媒体に対応する再生装置（又は専用インターフェース）を介して本発明に係るプログラムをフラッシュメモリ３９にロードすることとなる。また、ネットワーク（ＬＡＮ、イントラネット、インターネットなど）を介して本発明に係るプログラムをフラッシュメモリ３９に転送しても良い。要するに、本発明に係るプログラムがフラッシュメモリ３９に格納されていれば良い。
【００８０】
また、上記実施形態では、光ディスク１５がＤＶＤ＋Ｒの規格に準拠した光ディスクである場合について説明したが、本発明がこれに限定されるものではなく、書き換え可能なＤＶＤであってもよい。また、約４０５ｎｍの波長の光に対応した次世代の情報記録媒体であっても良い。要するに光を利用して情報を記録することが可能な情報記録媒体であれば良い。
【００８１】
また、上記実施形態では、光ディスク１５が１つの記録層を有する場合について説明したが、これに限らず、複数の記録層を有していても良い。この場合に、ＣＤの規格に準拠した記録層とＤＶＤの規格に準拠した記録層とが混在しても良い。
【００８２】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。
【００８３】
また、上記実施形態では、情報記録装置として光ディスク装置を用いる場合について説明したが、これに限らず、例えばＤＶＤレコーダを用いても良い。要するに光を利用して情報を記録することが可能な装置であれば良い。
【産業上の利用可能性】
【００８４】
以上説明したように、本発明の記録方法によれば、情報記録装置の大型化及び高コスト化を招くことなく、光ディスクに対して高速度で記録品質に優れた記録を行うのに適している。また、本発明の情報記録装置によれば、大型化及び高コスト化を招くことなく、光ディスクに対して高速度で記録品質に優れた記録を行うのに適している。また、本発明のプログラム及び記憶媒体によれば、情報記録装置に、大型化及び高コスト化を招くことなく、光ディスクに対して高速度で記録品質に優れた記録を行わせるのに適している。
【図面の簡単な説明】
【００８５】
【図１】本発明の一実施形態に係る情報記録装置としての光ディスク装置の構成を示すブロック図である。
【図２】マークを形成する際の発光パワーのパルス形状（遅延なし）を説明するための図である。
【図３】マークを形成する際の発光パワーのパルス形状（遅延あり）を説明するための図である。
【図４】従来のキャッスルストラテジとの違いを説明するための図である。
【図５】図４におけるジッタを説明するため図である。
【図６】熱量比を説明するための図である。
【図７】熱量比と記録線速度との関係を示す近似式を説明するための図である。
【図８】記録処理を説明するためのフローチャートである。
【図９】熱量比と記録線速度との関係を示す近似式の変形例を説明するための図である。の図である。
【図１０】図１０（Ａ）及び図１０（Ｂ）は、それぞれマークを形成する際の発光パワーのパルス形状の変形例を説明するための図である。
【符号の説明】
【００８６】
１５…光ディスク、２０…光ディスク装置（情報記録装置）、２３…光ピックアップ装置、２４…レーザ制御回路（処理装置）、３９…フラッシュメモリ（記録媒体）、４０…ＣＰＵ（制御装置）。
【図１】
2006172567.tif 000003
【図２】
2006172567.tif 000004
【図３】
2006172567.tif 000005
【図４】
2006172567.tif 000006
【図５】
2006172567.tif 000007
【図６】
2006172567.tif 000008
【図７】
2006172567.tif 000009
【図８】
2006172567.tif 000010
【図９】
2006172567.tif 000011
【図１０】
2006172567.tif 000012